【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
デジタルズームレンズ及び光学ズームレンズで取得した映像を、１つの画面の表示領域にそれぞれ表示可能な撮像装置であって、
前記１つの画面に表示する前記デジタルズームレンズで取得した映像内の一部の撮影領域の内側を、前記デジタルズームレンズで取得した前記一部の撮影領域と画角が等しい、前記光学ズームレンズで取得した映像にして表示する表示制御手段と、
前記光学ズームレンズをズームアップする指示を受け付ける第１の受付手段と、
前記ズームアップする指示を受け付けた場合には、前記１つの画面の中で、前記一部の撮影領域の内側の前記光学ズームレンズをズームアップして取得した映像を表示する領域を縮小し、かつ、前記一部の撮影領域外の前記デジタルズームレンズで取得した映像を表示する領域を拡大する領域調整手段と、
を備えることを特徴とする撮像装置。
【請求項２】
前記第１の受付手段が前記光学ズームレンズをズームダウンする指示を受け付けた場合には、前記領域調整手段が、前記１つの画面の中で、前記一部の撮影領域の内側の前記光学ズームレンズをズームアップして取得した映像を表示する領域を拡大し、かつ、前記一部の撮影領域外の前記デジタルズームレンズで取得した映像を表示する領域を縮小することを特徴とする請求項１に記載の撮像装置。
【請求項３】
前記デジタルズームレンズをズームダウンする指示を受け付ける第２の受付手段をさらに備え、
前記第２の受付手段がズームダウンする指示を受け付けた場合には、前記領域調整手段が、前記１つの画面の中で、前記一部の撮影領域の内側の前記光学ズームレンズで取得した映像を表示する領域を縮小し、かつ、前記一部の撮影領域外の前記デジタルズームレンズで取得した映像を表示する領域を拡大することを特徴とする請求項１または請求項２に記載の撮像装置。
【請求項４】
前記第２の受付手段が前記デジタルズームレンズをズームアップする指示を受け付けた場合には、前記領域調整手段が、前記１つの画面の中で、前記一部の撮影領域の内側の前記光学ズームレンズで取得した映像を表示する領域を拡大し、かつ、前記一部の撮影領域外の前記デジタルズームレンズで取得した映像を表示する領域を縮小することを特徴とする請求項３に記載の撮像装置。
【請求項５】
前記表示する映像の撮影指示を受け付ける撮影指示受付手段と、
前記撮影指示を受け付けた場合には、前記光学ズームレンズで取得した前記一部の撮影領域内側の映像を撮影する撮影手段と、
をさらに備えることを特徴とする請求項１乃至請求項４のいずれか１項に記載の撮像装置。
【請求項６】
前記デジタルズームレンズで取得した前記一部の撮影領域外の映像から、前記光学ズームレンズで取得した前記一部の撮影領域内の映像に被写体が移動したか否かを判断する移動判断手段と、
前記移動判断手段により被写体が移動したと判断された場合に、前記光学ズームレンズで取得した前記一部の撮影領域内の前記移動した被写体を含む映像を前記１つの画面に全画面表示されるように制御する全画面表示制御手段と、
をさらに備えることを特徴とする請求項１乃至請求項５のいずれか１項に記載の撮像装置。
【請求項７】
デジタルズームレンズ及び光学ズームレンズで取得した映像を、１つの画面の表示領域にそれぞれ表示可能な撮像装置の制御方法であって、
前記撮像装置の表示制御手段が、前記１つの画面に表示する前記デジタルズームレンズで取得した映像内の一部の撮影領域の内側を、前記デジタルズームレンズで取得した前記一部の撮影領域と画角が等しい、前記光学ズームレンズで取得した映像にして表示する表示制御工程と、
前記撮像装置の第１の受付手段が、前記光学ズームレンズをズームアップする指示を受け付ける第１の受付工程と、
前記撮像装置の領域調整手段が、前記ズームアップする指示を受け付けた場合には、前記１つの画面の中で、前記一部の撮影領域の内側の前記光学ズームレンズをズームアップして取得した映像を表示する領域を縮小し、かつ、前記一部の撮影領域外の前記デジタルズームレンズで取得した映像を表示する領域を拡大する領域調整工程と、
を含むことを特徴とする制御方法。
【請求項８】
デジタルズームレンズ及び光学ズームレンズで取得した映像を、１つの画面の表示領域にそれぞれ表示可能な撮像装置で読み取り実行可能なプログラムであって、
前記撮像装置を、
前記１つの画面に表示する前記デジタルズームレンズで取得した映像内の一部の撮影領域の内側を、前記デジタルズームレンズで取得した前記一部の撮影領域と画角が等しい、前記光学ズームレンズで取得した映像にして表示する表示制御手段と、
前記光学ズームレンズをズームアップする指示を受け付ける第１の受付手段と、
前記ズームアップする指示を受け付けた場合には、前記１つの画面の中で、前記一部の撮影領域の内側の前記光学ズームレンズをズームアップして取得した映像を表示する領域を縮小し、かつ、前記一部の撮影領域外の前記デジタルズームレンズで取得した映像を表示する領域を拡大する領域調整手段と、
して機能させることを特徴とするプログラム。
【手続補正２】
【補正対象書類名】明細書
【補正対象項目名】０００８
【補正方法】変更
【補正の内容】
【０００８】
本発明は、デジタルズームレンズ及び光学ズームレンズで取得した映像を、１つの画面の表示領域にそれぞれ表示可能な撮像装置であって、前記１つの画面に表示する前記デジタルズームレンズで取得した映像内の一部の撮影領域の内側を、前記デジタルズームレンズで取得した前記一部の撮影領域と画角が等しい、前記光学ズームレンズで取得した映像にして表示する表示制御手段と、前記光学ズームレンズをズームアップする指示を受け付ける第１の受付手段と、前記ズームアップする指示を受け付けた場合には、前記１つの画面の中で、前記一部の撮影領域の内側の前記光学ズームレンズをズームアップして取得した映像を表示する領域を縮小し、かつ、前記一部の撮影領域外の前記デジタルズームレンズで取得した映像を表示する領域を拡大する領域調整手段と、を備えることを特徴とする。
【手続補正３】
【補正対象書類名】明細書
【補正対象項目名】０００９
【補正方法】変更
【補正の内容】
【０００９】
また、前記第１の受付手段が前記光学ズームレンズをズームダウンする指示を受け付けた場合には、前記領域調整手段が、前記１つの画面の中で、前記一部の撮影領域の内側の前記光学ズームレンズをズームアップして取得した映像を表示する領域を拡大し、かつ、前記一部の撮影領域外の前記デジタルズームレンズで取得した映像を表示する領域を縮小することを特徴とする。
【手続補正４】
【補正対象書類名】明細書
【補正対象項目名】００１０
【補正方法】変更
【補正の内容】
【００１０】
また、前記デジタルズームレンズをズームダウンする指示を受け付ける第２の受付手段をさらに備え、前記第２の受付手段がズームダウンする指示を受け付けた場合には、前記領域調整手段が、前記１つの画面の中で、前記一部の撮影領域の内側の前記光学ズームレンズで取得した映像を表示する領域を縮小し、かつ、前記一部の撮影領域外の前記デジタルズームレンズで取得した映像を表示する領域を拡大することを特徴とする。
【手続補正５】
【補正対象書類名】明細書
【補正対象項目名】００１１
【補正方法】変更
【補正の内容】
【００１１】
また、前記第２の受付手段が前記デジタルズームレンズをズームアップする指示を受け付けた場合には、前記領域調整手段が、前記１つの画面の中で、前記一部の撮影領域の内側の前記光学ズームレンズで取得した映像を表示する領域を拡大し、かつ、前記一部の撮影領域外の前記デジタルズームレンズで取得した映像を表示する領域を縮小することを特徴とする。
【手続補正６】
【補正対象書類名】明細書
【補正対象項目名】００１２
【補正方法】変更
【補正の内容】
【００１２】
また、前記表示する映像の撮影指示を受け付ける撮影指示受付手段と、前記撮影指示を受け付けた場合には、前記光学ズームレンズで取得した前記一部の撮影領域内側の映像を撮影する撮影手段と、をさらに備えることを特徴とする。
【手続補正７】
【補正対象書類名】明細書
【補正対象項目名】００１３
【補正方法】変更
【補正の内容】
【００１３】
また、前記デジタルズームレンズで取得した前記一部の撮影領域外の映像から、前記光学ズームレンズで取得した前記一部の撮影領域内の映像に被写体が移動したか否かを判断する移動判断手段と、前記移動判断手段により被写体が移動したと判断された場合に、前記光学ズームレンズで取得した前記一部の撮影領域内の前記移動した被写体を含む映像を前記１つの画面に全画面表示されるように制御する全画面表示制御手段と、をさらに備えることを特徴とする。